(57)【要約】【課題】  携帯電話機を利用したクーポンの取得と使用により、店舗の販売促進に貢献することができる販売促進システムを提供する。【解決手段】  店舗のクーポンに関する情報を登録したデータベースを備えたサーバと、サーバをアクセスしてクーポンの取得要求の登録を行なう非接触ＩＣチップを内蔵した携帯電話機と、クーポンを使用するときに、携帯電話機の非接触ＩＣチップに記憶されている固有の情報を読み取る非接触ＩＣカードリーダ／ライターを備えた店舗の端末装置から構成される。そして、サーバは、携帯電話機から取得したクーポンの取得要求の登録に関する情報と、店舗の端末装置から取得したクーポンの使用に関する情報を、携帯電話機の非接触ＩＣチップに記憶されている固有の情報に関連付けしてデータベースに記憶する手段を備えているクーポンを利用した店舗の販売促進システムである。【選択図】    図１
2006338638.tif 000002
【特許請求の範囲】
【請求項１】
店舗のクーポンに関する情報を登録したデータベースを備えたサーバと、
前記サーバをアクセスして前記クーポンの取得要求の登録を行なう非接触ＩＣチップを内蔵した携帯電話機と、
前記店舗のクーポンを使用するときに、前記携帯電話機の非接触ＩＣチップに記憶されている固有の情報を読み取る非接触読み取り手段を備えた店舗の端末装置と、を備え、
さらに、前記サーバは、前記携帯電話機から取得した前記店舗のクーポンの取得要求の登録に関する情報と、前記店舗の端末装置から取得した前記クーポンの使用に関する情報を、前記携帯電話機の非接触ＩＣチップに記憶されている固有の情報に関連付けして前記データベースに記憶する手段を備えていることを特徴とするクーポンを利用した店舗の販売促進システム。
【請求項２】
インターネットに接続された店舗の端末装置と、前記店舗のクーポンに関する情報を前記クーポンに設定されたクーポン識別コード別に記憶するクーポン情報データベースを有するサーバと、前記サーバをアクセスして前記クーポンの取得要求の登録を行なう非接触ＩＣチップを内蔵した利用者の携帯電話機を備えた店舗の販売促進システムであって、
前記携帯電話機は、前記サーバからダウンロードされたプログラムであって、前記携帯電話機の動作環境で作動して、前記サーバが前記携帯電話機にダウンロードする前記プログラムごとに設定する固有のカードＩＤを前記サーバから取得して、前記携帯電話機の前記非接触ＩＣチップに記憶する処理と、前記非接触ＩＣチップに記憶した前記カードＩＤを前記サーバに送信する処理を行なう起動プログラムを備え、
前記サーバは、前記携帯電話機が前記クーポンの取得要求の登録を行ったときに取得した前記クーポン識別コードと前記カードＩＤを、前記店舗を識別する店舗識別コードと関連付けしてクーポン取得要求データベースに記録するクーポン取得要求登録手段を備え
前記店舗の端末装置は、前記携帯電話機の非接触ＩＣチップに記憶されている前記カードＩＤを非接触で読み取って、前記読み取った前記カードＩＤと前記店舗の店舗識別コードを前記サーバに送信する手段を備え、
前記クーポン取得要求登録手段は、前記クーポン取得要求データベースに記録されている前記クーポン識別コードであって、前記店舗の端末装置から取得した前記カードＩＤと前記店舗識別コードの双方を有するクーポン識別コードが設定されたクーポンは使用されたと判定して、前記クーポン取得要求データベースと前記クーポン情報データベースの一方または双方の前記クーポン識別コードに関する情報を記憶する領域に、前記クーポンの使用済みに関する情報を記録することを特徴とするクーポンを利用した店舗の販売促進システム。
【請求項３】
前記携帯電話機が前記サーバをアクセスして、前記サーバへの前記クーポンの取得要求の登録を行なう操作は、前記クーポン識別コードを含む２次元コードを撮像して前記サーバのＷｅｂサイトをアクセスする手段により実施されることを特徴とする請求項１または請求項２に記載のクーポンを利用した店舗の販売促進システム。
【請求項４】
前記使用済みに関する情報は、少なくとも前記クーポンの使用済みを表すコード、または使用回数が記録された情報であることを特徴とする請求項１または請求項２に記載のクーポンを利用した店舗の販売促進システム。
【請求項５】
前記クーポン情報データベースは、前記クーポン識別コードごとに前記店舗側により設定された該クーポンの使用１回当りの前記店舗への課金単価を備え、
前記クーポン情報データベースに記録されている前記使用回数と前記課金単価に基づいて、所定期間における前記店舗に対する課金額を算出する課金算出手段を備えていることを特徴とする請求項２に記載のクーポンを利用した店舗の販売促進システム。
【請求項６】
前記クーポン情報データベースには、前記クーポンを使用した利用者に付与するポイントとして、前記課金単価の所定の割合に相当する値が記憶されていることを特徴とする請求項２に記載のクーポンを利用した店舗の販売促進システム。
【請求項７】
前記サーバは、前記クーポン情報データベースに記録されている前記店舗のクーポンに関する情報について、前記店舗のカテゴリ別に検索するための店舗検索用Ｗｅｂページを備え、
さらに、前記店舗検索用Ｗｅｂページは、前記カテゴリごとに該カテゴリに含まれる前記店舗のクーポンに関する情報と前記ポイントを表示するカテゴリ別店舗Ｗｅｂページにリンクが張られていることを特徴とする請求項１または請求項２に記載のクーポンを利用した店舗の販売促進システム。
【請求項８】
前記カテゴリ別店舗Ｗｅｂページの前記店舗のクーポンに関する情報の表示領域は、前記携帯電話機を用いて前記クーポンの取得要求の登録を行なう前記サーバのＷｅｂサイトにリンクされていることを特徴とする請求項７に記載のクーポンを利用した店舗の販売促進システム。
【請求項９】
前記サーバは、前記起動プログラムを前記携帯電話機にダウンロードするプログラムダウンロード手段を備えていることを特徴とする請求項１または請求項２に記載のクーポンを利用した店舗の販売促進システム。
【請求項１０】
前記サーバは、前記利用者ごとに、少なくとも前記利用者の属性に関する情報と、現在のポイント数と、前記カードＩＤとに関する情報を記憶した会員データベースを備えていることを特徴とする請求項１または請求項２に記載のクーポンを利用した店舗の販売促進システム。
【請求項１１】
前記サーバは、前記利用者が前記店舗の会員として登録されていることを認証するデータベースとして、前記携帯電話機の非接触ＩＣチップに記憶された前記カードＩＤに前記店舗の店舗識別コードを関連付けしたデータベースを備えていることを特徴とする請求項１または請求項２に記載のクーポンを利用した店舗の販売促進システム。
【請求項１２】
前記店舗の販売促進システムは、前記サーバをアクセスして前記サーバが備えている前記データベースから前記店舗のクーポンに関する情報を取得する代理店の端末装置を備え、
前記代理店の端末装置は、前記取得した店舗のクーポンに関する情報に基づいて、前記携帯電話機が前記サーバをアクセスして前記クーポンの取得要求の登録を行なうための２次元コードを作成する手段を備えていることを特徴とする請求項１または請求項２に記載のクーポンを利用した店舗の販売促進システム。
【発明の詳細な説明】
【技術分野】
【０００１】  本発明は、インターネット接続機能を備えた携帯電話機を用いて店舗のクーポンを使用することにより、店舗の販売促進を計るようにした店舗の販売促進システムに関するものである。
【背景技術】
【０００２】  近年、インターネットや携帯電話機の技術発展に伴なって、各種の店舗や企業等が発行するクーポン情報をＷｅｂサイトに登録して、インターネットに接続可能な携帯電話機を利用してこのＷｅｂサイトにアクセスし、クーポン情報を利用者の携帯電話機に提供するクーポン情報提供システムが多数提案されている。このようなクーポン情報提供システムは、電子クーポンを発行するＷｅｂサイトからダウンロードしたクーポン情報を携帯電話機の画面に表示し、このクーポン情報が表示された画面を店舗側に提示することにより、利用者は所定の割引やサービスが受けられるようにしたシステムである。このようなシステムとしては、例えば、下記の特許文献が提案されている。【０００３】
【特許文献１】  特開２００１−３５７２７９号公報
【特許文献２】  特開２００２−２６９４２０号公報
【特許文献３】  特開２００２−１０９３５３号公報
【特許文献４】  特開２００５−７１２０６号公報
【０００４】  特許文献１または特許文献２には、商品またはサービスに関するクーポンの情報を登録したクーポン提供サイトに、携帯電話機等からなるブラウザ端末からこのクーポン提供サイトをアクセスすることにより、ブラウザ端末にクーポン提供施設の情報及びクーポンを表示するようにしたインターネットを利用した情報提供方法が記載されている。さらに、特許文献１には、ブラウザ端末にクーポン提供施設のリストとその電話番号を表示すること等が開示されている。【０００５】  特許文献３には、クーポンの内容及び画像を登録するクーポンデータベースと、クーポンの発行者のＩＤを登録するＩＤデータベースと、Ｗｅｂページに掲載される広告を登録する広告データベースを備えたＷｅｂサイトに、携帯電話機によりアクセスしてそのディスプレイにクーポン画像を表示するようにしたクーポン発行方法が記載されている。さらに、特許文献２には、クライアントがＷｅｂサイト側に支払う広告料は、基本料金に加えて広告用Ｗｅｂページ等にリンクされた回数によって加算することが開示されている。【０００６】  特許文献４には、顧客に２次元バーコードを携帯電話機の表示画面に表示させて利用者の会員証としての機能を持たせ、店舗のＰＯＳレジにより、この２次元バーコードを読み込んでインターネットサーバにアクセスすることにより、顧客の携帯電話機に顧客ニーズの情報・現状のポイント数、クーポンの有無等の情報を知らせると共に、顧客の商品売買データを読み取るようにした店舗における顧客売上データ管理システムが記載されている。
【発明の開示】
【発明が解決しようとする課題】
【０００７】  上記した特許文献に記載されている発明は、携帯電話機の画面にクーポン情報等を２次元コードの画像あるいは文字情報として表示するシステムである。そして、利用者は、このクーポン情報を表示した画面を店舗側に提示するか、あるいは携帯電話機の画面に表示された２次元コードの画像を、店舗に設置されている読み取り手段により読み取ることにより、クーポンに関する特典を得ることができるようにしたシステムである。従って、利用者は、店舗においてクーポンに関する特典を得ようとすると、携帯電話機の画面にクーポン情報を表示させる操作を行なう必要がある。さらに、上記従来のシステムにおいて、クーポンを使用した利用者に所定のポイントを付与するためには、店舗の端末装置に利用者を識別するための情報を入力する必要がある。【０００８】  そこで、本発明の目的は、利用者の携帯電話機の非接触ＩＣチップに、予めこの携帯電話機を識別するための固有の情報を記憶しておき、利用者はこの携帯電話機を用いてサーバにクーポンの取得要求の登録操作を行なうと、携帯電話機の非接触ＩＣチップに予め記憶したこの携帯電話機固有の情報を基にして、利用者はクーポンの使用を可能にし、サーバはクーポンの使用実績を正確に把握できるようにすると共に、店舗の販売促進に貢献できる電子クーポンを利用した店舗の販売促進システムを提供することにある。
【課題を解決するための手段】
【０００９】  本発明は、店舗のクーポンに関する情報を登録したデータベースを備えたサーバと、
前記サーバをアクセスして前記クーポンの取得要求の登録を行なう非接触ＩＣチップを内蔵した携帯電話機と、
前記店舗のクーポンを使用するときに、前記携帯電話機の非接触ＩＣチップに記憶されている固有の情報を読み取る非接触読み取り手段を備えた店舗の端末装置と、を備え、
前記サーバは、前記携帯電話機から取得した前記店舗のクーポンの取得要求の登録に関する情報と、前記店舗の端末装置から取得した前記クーポンの使用に関する情報を、前記携帯電話機の非接触ＩＣチップに記憶されている固有の情報に関連付けして前記データベースに記憶する手段を備えているクーポンを利用した店舗の販売促進システムである。【００１０】  さらに、本発明は、インターネットに接続された店舗の端末装置と、前記店舗のクーポンに関する情報を前記クーポンに設定されたクーポン識別コード別に記憶するクーポン情報データベースを有するサーバと、前記サーバをアクセスして前記クーポンの取得要求の登録を行なう非接触ＩＣチップを内蔵した利用者の携帯電話機を備えた店舗の販売促進システムであって、
前記携帯電話機は、前記サーバからダウンロードされたプログラムであって、前記携帯電話機の動作環境で作動して、前記サーバが前記携帯電話機にダウンロードする前記プログラムごとに設定する固有のカードＩＤを前記サーバから取得して、前記携帯電話機の前記非接触ＩＣチップに記憶する処理と、前記非接触ＩＣチップに記憶した前記カードＩＤを前記サーバに送信する処理を行なう起動プログラムを備え、
前記サーバは、前記携帯電話機が前記クーポンの取得要求の登録を行ったときに取得した前記クーポン識別コードと前記カードＩＤを、前記店舗を識別する店舗識別コードと関連付けしてクーポン取得要求データベースに記録するクーポン取得要求登録手段を備え
前記店舗の端末装置は、前記携帯電話機の非接触ＩＣチップに記憶されている前記カードＩＤを非接触で読み取って、前記読み取った前記カードＩＤと前記店舗の店舗識別コードを前記サーバに送信する手段を備え、
前記クーポン取得要求登録手段は、前記クーポン取得要求データベースに記録されている前記クーポン識別コードであって、前記店舗の端末装置から取得した前記カードＩＤと前記店舗識別コードの双方を有するクーポン識別コードが設定されたクーポンは使用されたと判定して、前記クーポン取得要求データベースと前記クーポン情報データベースの一方または双方の前記クーポン識別コードに関する情報を記憶する領域に、前記クーポンの使用済みに関する情報を記録するようになされているクーポンを利用した店舗の販売促進システムである。【００１１】  さらに、本発明は、前記携帯電話機が前記サーバをアクセスして、前記サーバへの前記クーポンの取得要求の登録を行なう操作は、前記クーポン識別コードを含む２次元コードを撮像して前記サーバのＷｅｂサイトをアクセスする手段により実施されるクーポンを利用した店舗の販売促進システムである。【００１２】  さらに、本発明は、前記使用済みに関する情報は、少なくとも前記クーポンの使用済みを表すコード、または使用回数が記録された情報とされているクーポンを利用した店舗の販売促進システムである。
上記使用済みを表すコードとは、クーポンが未使用かあるいは使用されたかを判別するためのコード、例えば、「０」、「１」等を表す。【００１３】  さらに、本発明は、前記クーポン情報データベースは、前記クーポン識別コードごとに前記店舗側により設定された該クーポンの使用１回当りの前記店舗への課金単価を備え、
前記クーポン情報データベースに記録されている前記使用回数と前記課金単価に基づいて、所定期間における前記店舗に対する課金額を算出する課金算出手段を備えているクーポンを利用した店舗の販売促進システムである。【００１４】  さらに、本発明は、前記クーポン情報データベースには、前記クーポンを使用した利用者に付与するポイントとして、前記課金単価の所定の割合に相当する値が記憶されているクーポンを利用した店舗の販売促進システムである。【００１５】  さらに、本発明は、前記サーバは、前記クーポン情報データベースに記録されている前記店舗のクーポンに関する情報について、前記店舗のカテゴリ別に検索するための店舗検索用Ｗｅｂページを備え、
さらに、前記店舗検索用Ｗｅｂページは、前記カテゴリごとに該カテゴリに含まれる前記店舗のクーポンに関する情報と前記ポイントを表示するカテゴリ別店舗Ｗｅｂページにリンクが張られているクーポンを利用した店舗の販売促進システムである。【００１６】  さらに、本発明は、前記カテゴリ別店舗Ｗｅｂページの前記店舗のクーポンに関する情報の表示領域は、前記携帯電話機を用いて前記クーポンの取得要求の登録を行なう前記サーバのＷｅｂサイトにリンクされているクーポンを利用した店舗の販売促進システムである。【００１７】  さらに、本発明は、前記サーバは、前記起動プログラムを前記携帯電話機にダウンロードするプログラムダウンロード手段を備えているクーポンを利用した店舗の販売促進システムである。【００１８】  さらに、本発明は、前記サーバは、前記利用者ごとに、少なくとも前記利用者の属性に関する情報と、現在のポイント数と、前記カードＩＤとに関する情報を記憶した会員データベースを備えているクーポンを利用した店舗の販売促進システムである。【００１９】  さらに、本発明は、前記サーバは、前記利用者が前記店舗の会員として登録されていることを認証するデータベースとして、前記携帯電話機の非接触ＩＣチップに記憶された前記カードＩＤに前記店舗の店舗識別コードを関連付けしたデータベースを備えているクーポンを利用した店舗の販売促進システムである。【００２０】  さらに、本発明は、前記店舗の販売促進システムは、前記サーバをアクセスして前記サーバが備えている前記データベースから前記店舗のクーポンに関する情報を取得する代理店の端末装置を備え、
前記代理店の端末装置は、前記取得した店舗のクーポンに関する情報に基づいて、前記携帯電話機が前記サーバをアクセスして前記クーポンの取得要求の登録を行なうための２次元コードを作成する手段を備えているクーポンを利用した店舗の販売促進システムである。【００２１】  本発明のシステムを構成する上記携帯電話機は、非接触ＩＣチップを搭載し、この非接触ＩＣチップのメモリに記憶された情報を、外部の非接触ＩＣカードリーダ／ライターに非接触で送信することができる機能と、Ｊａｖａ（登録商標）言語等で記載されたアプリケーションをダウンロードして実行できる環境と、インターネット接続機能を備えている必要がある。さらに、カメラ機能を備え、撮像したＱＲコード（登録商標）に含まれているＵＲＬ（Ｕｎｉｆｏｒｍ  Ｒｅｓｏｕｒｃｅ  Ｌｏｃａｔｏｒ）をアクセスする機能を備えていることが望ましい。【００２２】  また、上記した店舗とは、各種の商品を販売する店舗、飲食店、美容室、旅行代理店、ホテル、学習塾、各種のスポーツ施設等、顧客や利用者に対してクーポン情報を提供するあらゆるカテゴリの業種（企業）を含み、以下の説明においては「店舗」と表現する。
【発明の効果】
【００２３】  本発明は、次のような効果を有している。
（１）利用者が店舗においてクーポンを使用するときには、サーバにクーポンの取得要求の登録を行なった利用者の携帯電話機を、店舗に設置されている非接触ＩＣカードリーダ／ライターにかざす操作を行なうのみでよい。このため、利用者が店舗においてクーポンを使用するときには、携帯電話機の画面にクーポンに関する情報を表示する必要はない。これにより、利用者がクーポンを使用するときの操作は極めて単純になると共に、クーポンに関する情報を店舗の端末装置からサーバに精度良く送信することができるので、サーバはクーポンの使用実績等を正確に把握することが可能になる。【００２４】  （２）サーバ等を管理する本システムの運営者は、店舗側に課金する課金単価は店舗側が自主的に設定し、かつ、この課金単価の所定の割合をポイントとして、クーポンを使用した利用者に付与するようなシステムの運用形態にしている。また、サーバは、利用者がクーポンの取得要求の登録をサーバに行なうためのＷｅｂページに、店舗のクーポン情報と共に利用者が獲得できるポイントを表示している。これにより、店舗側は同業者と比較して、課金単価を可能な限り高く設定して利用者が獲得できるポイントを多くして、利用者がクーポンを使用しようとする意識を高める努力をすることになる。その結果として、店舗の販売（売上）促進に寄与することができる販売促進システムを提供することが可能になる。【００２５】  （３）本システムは、店舗のクーポンの使用実績に基づいて、システムの運営者はその店舗に課金を請求するようにしている。このため、店舗側は、利用者からのクーポンの取得要求の回数ではなく、クーポンの使用回数に応じて、すなわち、売上の発生に伴なって課金が請求されるので、課金の支払いに対して大きな負担を受けることがなくなる。【００２６】  （４）利用者の携帯電話機の非接触ＩＣチップに記憶したカードＩＤは、利用者の携帯電話機を識別する情報、すなわち、この携帯電話機を所有している利用者を認証するための情報として利用することが可能になる。これにより、利用者が、店舗が独自に募集している店舗の会員になっている場合には、その店舗会員番号等の店舗の会員ＩＤと、本システムが取り扱う利用者の会員番号とを関連付けしたデータベースを、サーバが備えるようにすると、本システムは、各店舗の会員証カードの発行を不要とした店舗ごとの会員サービスシステムとしても利用することが可能になる。
【発明を実施するための最良の形態】
【００２７】  以下、本発明を実施するための形態について説明する。図１は、本発明を実施するためのシステム構成の一例を示す図である。図１において、１は、本発明のシステムにおいてサーバとなるコンピュータである。サーバ１は、本発明のシステムを稼動させために後記する各種のプログラムとデータベース（データテーブル）を備えている。１ａは、サーバ１が備えている各種のデータベースやプログラムの修正等を行うためのシステム管理者用の端末装置である。また、１ｂは、サーバ１をアクセスして、各種のデータベースから日々、あるいは月末現在の統計表等を作成するための管理者用の端末装置である。なお、システムの規模が小さいときは、端末装置１ａ、１ｂは必ずしも設ける必要はない。【００２８】  ２ａ、２ｂ、２ｃ、２ｄは、本発明のシステムにおいて、クーポンを使用する利用者（以下、利用者という）の携帯電話機である。携帯電話機２ａ等は、非接触ＩＣチップを内蔵すると共に、インターネット接続機能を備えている携帯電話機である。さらに、携帯電話機２ａ等は、Ｊａｖａ（登録商標）言語等で記載されたアプリケーションプログラムをダウンロードして記憶装置に記憶して実行できる環境を供えている携帯電話機である。なお、携帯電話機２ａ等は、ＱＲコード（登録商標）（以下、２次元コードという）を撮像するカメラ機能と、撮像した２次元コードの画像を解析して２次元コードに含まれているＵＲＬを有するＷｅｂサイトをアクセスする機能を備えていることが望ましい。
３ａ、３ｂは、この利用者等が所有しているパーソナルコンピュータ等から構成される端末装置である。【００２９】  この非接触ＩＣチップとは、携帯電話機２ａに内蔵されて外部機器とのデータ通信を非接触で行なうためのＩＣチップであって、ＣＰＵとメモリとコイル等を備えている。本発明においては、この携帯電話機２ａ等に内蔵される非接触ＩＣチップのメモリには、後記する携帯電話機ごとに固有の情報（カードＩＤ）を記憶する手段として利用される。なお、この非接触ＩＣチップは、非接触ＩＣカードと言われる場合もある。【００３０】  ４ａ、４ｂ、４ｃ、４ｄは、商品の販売やサービス等を提供する店舗、施設等のクーポン発行元に設置されている端末装置（以下、店舗の端末装置という）である。店舗の端末装置４ａ等には、非接触読み取り手段となる非接触ＩＣカードリーダ／ライター５ａ、５ｂ、５ｃ、５ｄが接続されている。非接触ＩＣカードリーダ／ライター５ａ等は、携帯電話機２ａ等に内蔵された非接触ＩＣチップに記憶されているデータを非接触で読み込んで店舗の端末装置４ａ等に取り入れる機能と、非接触ＩＣチップに必要とするデータを書き込むための機能を備えている。なお、非接触ＩＣカードリーダ／ライター５ａ等は、現在市販されている携帯電話機用の非接触ＩＣカードリーダ／ライターを用いることができる。【００３１】  店舗の端末装置４ａは、パーソナルコンピュータから構成される。店舗の端末装置４ａには、サーバ１をアクセスしてデータ通信を行なうためのソフトウエアと、携帯電話機２ａ等に内蔵された非接触型ＩＣチップに記憶されているデータを非接触ＩＣカードリーダ／ライター５ａ等で読み取ったデータを記憶装置に記憶する処理等を行うプログラムを備えている。なお、店舗の端末装置４ａ等は、店舗等のＰＯＳレジスターにこれらの処理を行なう機能を備えるようにしてもよい。【００３２】  ６ａ、６ｂは、代理店の端末装置である。代理店とは、各種の広告用印刷物を発行する広告代理店、各種の刊行物を発行する業者、あるいは、本システムの運営の一部を委託された代理店、等である。例えば、代理店が広告代理店の場合、この広告代理店は次の業務を行なう。すなわち、利用者がクーポンに関する情報の取得要求を携帯電話機２ｄを用いてサーバ１に登録する操作を行なうために、サーバ１のＵＲＬとクーポン識別コード等に関する情報を含む２次元コード７ａ、７ｂを、各種の刊行物やチラシ広告等の広告媒体８ａ、８ｂ等に印刷して発行する業務を行なう。この業務を行なうとき、広告代理店側は、代理店の端末装置６ａ等を操作してサーバ１をアクセスして、サーバ１のデータベースが備えているクーポンに関する情報を選択して、この選択したクーポンに関する情報から、サーバ１が備えている２次元コード作成プログラムを用いて、広告媒体８ａに印刷する２次元コードをビットマップデータとして作成する操作を行なう。そして、この作成した２次元コードのデータを代理店の端末装置６ａ等にダウンロードする。【００３３】  上記したサーバ１、端末装置１ａ、利用者の端末装置３ａ、３ｂ、店舗の端末装置４ａ、４ｂ、４ｃ、４ｄ、代理店の端末装置６ａ、６ｂは、各地に設立されているインターネット・サービス��プロバイダ９を介してインターネット１０に接続されている。また、利用者の携帯電話機２ａ、２ｂ、２ｃ、２ｄは、携帯電話機のサービス会社の基地局１１を介してインターネット１０に接続される。【００３４】  続いて、本発明のシステムを稼動させるために、サーバ１が備えているソフトウエア（プログラム）の構成について説明する。サーバ１は、Ｗｅｂブラウザ及びメール用ソフトウエアの他に、本発明のシステムを稼動させるために、主として図２に示すようなプログラムを備えている。【００３５】  図２に示す店舗募集プログラムＰ１は、本システムに加入する店舗を募集するためのＷｅｂページをインターネット１０上に公開するためのプログラムであって、ＨＴＭＬ言語あるいはＪａｖａ（登録商標）言語を使用して作成される。店舗の運営者は、店舗の端末装置４ａ等を利用してサーバ１をアクセスして、本システムに加入するために必要な情報をサーバ１に登録することにより、本システムに加入することを可能にしている。このＷｅｂページを利用して店舗側は、店舗（企業）名、住所、Ｅメールアドレス、等の情報を入力してサーバ１に登録する操作を行なう。【００３６】  ＩＤ・パスワード発行プログラムＰ２は、本システムに加入した店舗の端末装置４ａ等が、サーバ１が店舗専用に公開するＷｅｂページをアクセスするためのＩＤとパスワード等を設定し、これらの情報と店舗識別コード等を店舗の端末装置４ａ等にＥメールを利用し連絡するためのプログラムである。【００３７】  クーポン情報登録プログラムＰ３は、店舗側が新規に発行するクーポンに関する情報をサーバ１のデータテーブルに登録する処理を行なうためのプログラムである。サーバ１は、店舗側が新規に発行するクーポンに関する情報を発行するときに、このクーポンに関する情報を登録するための店舗用のＷｅｂページを公開する。クーポン登録プログラムＰ３は、このＷｅｂページを利用して店舗の端末装置４ａ等から入力されたクーポンに関する情報を、クーポン情報データベース等に記録（登録）する処理を行なうプログラムである。
なお、店舗の端末装置４ａ等から入力されたクーポンに関する情報は、店舗コード、店舗名、店舗側が設定したクーポン番号（店舗クーポン番号）、クーポンの有効期間、使用上限回数、課金単価、クーポンの内容、等である。【００３８】  ２次元コード作成プログラムＰ４は、２次元コードであるＱＲコード（登録商標）をビットマップ情報として作成するためのプログラムである。この２次元コード作成プログラムＰ４は、例えば、利用者が利用者の端末装置３ａ等を操作してサーバ１をアクセスしてクーポンに関する情報を検索して希望するクーポンの取得要求をサーバ１に登録するときに、２次元コード作成プログラムＰ４が作動される。このとき、２次元コード作成プログラムＰ４が作成した２次元コードは、ビットマップ情報として端末装置３ａ等の画面に表示される。そして、利用者は、画面に表示されたこの２次元コードの画像を携帯電話機２ａ等で撮像してサーバ１をアクセスすることにより、クーポンの取得要求がサーバ１に登録される。なお、この２次元コードには、サーバ１のＵＲＬと利用者が希望したクーポンに関する情報が表されている。【００３９】  なお、２次元コード作成プログラムＰ４で作成した２次元コードに含まれているクーポンに関する情報は、本システムで扱う各店舗のクーポンを識別するための固有の情報（以下、クーポン番号という）にすることが望ましい。なお、このクーポン番号は、店舗を識別するコード（以下、店舗識別コードという）と、その店舗が発行したクーポンを識別する追番号（店舗クーポン番号）とから構成してもよい。また、このクーポン番号は、前記したクーポン情報登録プログラムＰ３により、所定の桁数を有する数字または英数字等から構成される識別コードを設定するようにする。【００４０】  ダウンロードプログラムＰ５は、利用者の携帯電話機２ａ等で作動するプログラム（以下、起動プログラムという）を携帯電話機の記憶装置にダウンロードするためのプログラムである。この起動プログラムは、Ｊａｖａ（登録商標）言語等で記載され携帯電話機で作動するアプリケーションプログラムである。ダウンロードプログラムＰ５の処理内容は、プログラムダウンロード手段となる。【００４１】  このダウンロードプログラムＰ５は、利用者の携帯電話機２ａ等にダウンロードする起動プログラムごとに、固有のプログラム識別ＩＤ（以下、カードＩＤという）を設定する。なお、ダウンロードプログラムＰ５は、このカードＩＤについて暗号化したデータを作成するようにする。そして、携帯電話機２ａ等を操作して、この携帯電話機２ａ等にダウンロードされた起動プログラムを立ち上げると、この起動プログラムは、サーバ１をアクセスして前記したダウンロードプログラムＰ５が設定した暗号化されたカードＩＤを取得する処理と、この取得したカードＩＤを携帯電話機２ａに内蔵されている非接触ＩＣチップに記憶する処理を行なう。【００４２】  これにより、携帯電話機２ａ等の非接触ＩＣチップに記憶されたカードＩＤは、携帯電話機２ａ等の非接触ＩＣチップに記憶される固有の情報になる。これにより、非接触ＩＣチップに記憶されたカードＩＤは、本システムを利用する利用者の携帯電話機２ａ等ごとに記憶されてい��固有の情報、すなわち、携帯電話機を利用する利用者を識別するための情報になる。【００４３】  クーポン取得要求登録プログラムＰ６は、利用者が携帯電話機２ａ等を使用して、サーバ１をアクセスして希望する店舗のクーポンの取得要求の登録操作を行なったときの処理を行うためのプログラムであって、その処理内容はクーポン取得要求登録手段となる。利用者が携帯電話機２ａ等によりクーポンの取得要求の登録を行なうときに、２次元コードの撮像等を行なってサーバ１をアクセスすると、クーポン取得要求登録プログラムＰ６は、クーポン番号と、携帯電話機２ａ等の非接触ＩＣチップに記憶されているカードＩＤを取得することができる。このカードＩＤをサーバ１に送信する処理は、前記した起動プログラムが行なう。【００４４】  なお、本発明において、利用者が携帯電話機２ａ等を利用して希望するクーポンの取得要求をサーバ１に登録する方法は、次の手段（１）〜（３）を採用することができる。【００４５】  （１）利用者は端末装置３ａ等を操作してサーバ１が公開するクーポンの取得要求登録用Ｗｅｂページをアクセスして、希望するクーポン情報を検索する。そして、利用者が希望するクーポンをクリックすると、クーポン取得要求登録プログラムＰ６により、端末装置３ａ等の画面に希望するクーポンの取得要求を登録するための２次元コードを表示する。利用者は、画面に表示されたこの２次元コードを利用者の携帯電話機２ａ等で撮像して２次元コードが表しているサーバ１のＵＲＬをアクセスして、希望するクーポンの取得要求を登録する操作を行なう。【００４６】  （２）利用者は、携帯電話機２ａ等を操作して、サーバ１が携帯電話機用に公開する携帯電話用サイトをアクセスして、クーポン情報を検索する。そしてし、希望するクーポン情報をクリックして、希望するクーポンの取得要求の登録を行なう。【００４７】  （３）広告媒体８ａ等に印刷されている２次元バーコードを利用者の携帯電話機２ｄ等で撮像して、この２次元コードが表しているサーバ１のＵＲＬをアクセスして、希望するクーポンの取得要求を登録する。【００４８】  クーポン取得要求登録プログラムＰ６は、上記した携帯電話機２ａ等からクーポンの取得要求の登録操作により、クーポン番号とカードＩＤを取得すると、これら取得したデータをクーポン取得要求データベースに記録する処理を行なう。
このように、本発明においては、前記した従来のシステムのように、利用者からクーポンに関する情報の配信要求が発生すると、利用者の携帯電話機に要求されたクーポン情報を送信するのではなく、携帯電話機ごとに本システムが設定した固有のカードＩＤと関連付けしてクーポン番号を、サーバ１に登録することに特徴がある。これにより、クーポンの取得要求の登録操作を行なった携帯電話機の非接触ＩＣチップに記録されているカードＩＤと、この携帯電話機を利用してクーポンの取得要求の登録を行なってサーバ１に記録されているクーポン番号とが、カードＩＤを介して関連（対応）付けられることになる。【００４９】  会員登録プログラムＰ７は、クーポンを利用する利用者を、本システムの会員として登録するためのプログラムである。利用者を本システムの会員として登録するために、会員登録プログラムＰ７は、会員登録用のＷｅｂページをインターネット１０上に公開して、利用者の属性情報であるＥメールアドレス、住所等を取得すると共に、会員ごとにサーバ１の会員専用のＷｅｂページを閲覧するためのログインＩＤとパスワード、および会員番号を設定する処理を行なう。【００５０】  なお、本発明のシステムにおいては、利用者は上記した会員の登録を行なっていなくても、店舗においてクーポンを利用するごとに、本システムが設定したポイントを獲得することができる。そして、会員となっている利用者は、所定のポイント数が溜まると、サーバ１のＷｅｂページを利用して希望の商品やサービスと交換できるようなシステムにしている。また、利用者は、会員登録用のＷｅｂページを利用して何時でも会員登録ができるようにしている。【００５１】  また、利用者が店舗でクーポンの対象となる商品の購入、またはサービスを受けてクーポンを使用すると、サーバ１はその店舗の端末装置４ａ等から、利用者の携帯電話機２ａ等に記憶されているカードＩＤとその店舗の識別コードを取得することができる。【００５２】  クーポン使用実績把握プログラムＰ８は、店舗の端末装置４ａ等から取得したカードＩＤと店舗識別コードに基づいて、クーポン取得要求データベースに記憶されているこのカードＩＤを有するクーポン番号が設定されたクーポンは使用されたと判定する処理を行なう。そして、クーポン使用実績把握プログラムＰ８は、クーポン取得要求データベースについてこのクーポン番号が設定されたクーポンに関する情報を記憶する領域に、クーポンの使用済み情報を記録する。この使用済み情報としては、クーポン使用年月日、使用回数、等を記録する。【００５３】  また、クーポン使用実績把握プログラムＰ８は、クーポン番号別にクーポンに関する情報を記録するクーポン情報データベースについて使用されたクーポン番号に関する情報を記録する領域に、クーポンの使用済み情報として、少なくとも、クーポンの使用回数を加算して記憶する。さらに、クーポンの使用済み情報として累計ポイント付与数、課金額（課金累計額）、等を記憶してもよい。【００５４】  ポイント記憶プログラムＰ９は、利用者ごとに、クーポンを使用したときに獲得したポイント数を、使用前の累計ホイン数に加算して会員データベースに記録する処理を行うためのプログラムである。【００５５】  店舗別課金算出プログラムＰ１０は、本システムの運営者が店舗の売上促進のために、クーポンの使用に関するサービス、利用者の携帯電話機２ａ等、および端末装置３ａ等にクーポンに関する情報を提供するサービス、代理店が発行する広告媒体８ａ等に店舗の広告やクーポンに関する情報を含む２次元コードを印刷すること等について、本システムの運営者が店舗側に、所定の期間、例えば、１ケ月ごとに、その課金する額を算出するためのプログラムである。また、本システムの運営者は、代理店との契約に基づいて代理店に対して所定の対価を支払うようにする。店舗別課金算出プログラムＰ１０の処理内容は、課金算出手段となる。【００５６】  本発明のシステムにおいて、この店舗に対する課金の算出は、利用者がクーポンを店舗で使用した使用回数に基づいて課金を算出することに特徴がある。さらに、本システムにおいては、この課金の単価は、店舗側がクーポンに関する情報をサーバ１のＷｅｂページを利用して登録するときに、例えば、利用者が一つのクーポンを１回使用したときに、店舗側が本システムの運営者に支払う対価（課金単価）を、店舗の自己申告により登録するようにしている。このとき、自己申告する課金単価の最低額は予め設定しておくようにする。そして、利用者がこのクーポンを利用すると、全店舗共通して課金単価の所定割合、例えば、１０％をポイント（以下、ポイント率という）として利用者に付与するようにしている。【００５７】  クーポン情報検索プログラムＰ１１は、利用者が利用者の端末装置３ａ、または携帯電話機２ａ等を利用して、本システムに登録されている店舗ごとのクーポンに関する情報を検索するためのプログラムである。このクーポン情報検索プログラムＰ１１は、サーバ１がインターネット１０上に公開するＷｅｂページ（図１０、図１１参照）等により実行される。【００５８】  ポイント交換受付けプログラムＰ１２は、会員登録している利用者が貯めたポイントを、各種の商品やサービスに交換する依頼を受付ける処理等を行うためのプログラムであって、サーバ１がインターネット１０上に公開するポイント交換受付用Ｗｅｂページ等により実行される。【００５９】  続いて、サーバ１が備えているデータベースについて説明する。サーバ１は、主として図３〜図８に示すようなデータベースを備えている。これらのデータベースは、本発明のシステムを稼動させるときに、上記した各プログラムが参照、および必要とするデータを記憶するために使用され、サーバ１のハードディスク装置に記憶されている。【００６０】  店舗データベースＤＴ１は、本発明のシステムに加入している店舗に関する情報を登録したデータテーブルである。図３に示すように、店舗データベースＤＴ１には、店舗識別コード、店舗名、カテゴリ、住所、ホームページのＵＲＬ、Ｅメールのアドレス、サーバ１が店舗専用に公開しているＷｅｂページをアクセスするためのＩＤとパスワード、等に関するデータが記憶されている。なお、上記カテゴリとは、店舗の業種等を分類するための分類名称を示す。【００６１】  クーポン情報データベースＤＴ２は、各店舗が発行するクーポンに関する情報を登録したデータテーブルである。図４に���すように、クーポン情報データベースＤＴ２には、クーポンの発行元となる店舗識別コード、クーポン番号、有効期間（開始年月日、終了年月日）、利用者取得回数、利用者使用回数、課金単価、ポイント率、使用上限回数、クーポン内容、等に関するデータが記憶されている。上記した利用者取得回数とは、利用者が携帯電話機を用いてクーポンに関する情報を取得した回数を示す。また、利用者使用回数とは、利用者がクーポンを使用した回数を示す。このクーポン情報データベースＤＴ２は、店舗識別コード別、あるいはクーポン番号別に作成され、クーポンの現在の使用状況を把握するためのデータベースである。【００６２】  クーポン情報データベースＤＴ２に記憶されるデータ項目のうち、クーポン番号は、店舗の端末装置４ａ等からサーバ１に登録された店舗のクーポンに関する情報について、サーバ１のクーポン情報登録プログラムＰ３が設定する番号であって、サーバ１が取り扱うクーポンを識別するための固有の番号を示す。課金単価は、前記の通り、利用者が一つのクーポンを１回使用したときに、店舗側がサーバ１の運営者に支払う対価（課金単価）を示す。また、ポイント率は、この課金単価に対して利用者が獲得することができるポイント数を示す。例えば、課金単価が１００円として登録され、この課金単価の１０％をポイントとして利用者に付与する場合、ポイント率は「１０」になる。【００６３】  クーポン取得要求データベースＤＴ３は、利用者が携帯電話機２ａ等を使用してサーバ１にクーポンの取得要求の登録を行ったクーポンに関する情報を記録したデータベースであって、クーポン番号別、あるいはカードＩＤ別に作成されている。図５に示すように、クーポン取得要求データベースＤＴ３には、クーポンの発行元となる店舗識別コード、クーポン番号、カードＩＤ、代理店識別コード、有効期間（開始年月日、終了年月日）、クーポン情報送信年月日、クーポン使用区分、利用年月日、利用者の会員番号等に関するデータが記憶されている。
なお、クーポン使用区分の欄には、初期値は「０」を記憶し、このクーポン番号を有するクーポンがこのカードＩＤを持つ携帯電話機により使用されるごとに、クーポン使用区分の欄には、使用回数が把握できるように「＋１」した値が記憶されるようにする。これにより、クーポン使用区分は使用済みを表すコードとしての機能を持ち、クーポン使用区分に記憶されている値を判定することにより、このクーポン番号は未使用か否かを判定することが可能になる。【００６４】  クーポン取得要求データベースＤＴ３は、クーポン取得要求登録プログラムＰ６により、利用者が店舗においてクーポンを使用したときに、店舗の端末装置４ａ等から取得したカードＩＤと店舗識別コードに基づいて、利用者がクーポンの取得要求の登録を行なったクーポンうち、どのクーポン番号に相当するクーポンが使用されかを判定するために用いられる。【００６５】  クーポン使用履歴データベースＤＴ４は、利用者がクーポンを使用した履歴を、例えば、クーポン番号別に記録するためのデータベースである。図６に示すように、クーポン使用履歴データベースＤＴ４には、店舗識別コード、クーポン番号、カードＩＤ、代理店識別コード、クーポン使用年月日・使用時刻、利用者の会員番号、利用者に付与したポイント数、等に関するデータが記憶される。クーポン使用履歴データベースＤＴ４は、使用されたクーポンに関する情報を分析するために使用されるデータベースである。【００６６】  会員データベースＤＴ５は、本システムを利用する利用者に関する情報を登録したデータベースであって、利用者別に現在のポイント数の把握、獲得したポイントを商品等に交換したときの発送先等を得るために使用される。図７に示すように、会員データベースＤＴ５には、会員番号、カードＩＤ、会員の氏名・住所、Ｅメールアドレス、携帯電話メールアドレス、サーバ１が会員専用に公開するＷｅｂサーバをアクセスするためのＩＤとパスワード、現在のポイント数、等に関するデータが記憶されている。なお、利用者が会員の登録を行なっていない場合には、カードＩＤと現在のポイント数以外のデータ項目にはデータが登録されていない。【００６７】  代理店データベースＤＴ６は、代理店に関する情報を登録したデータベースである。を設ける。図８に示すように、代理店データベースＤＴ６には、代理店ごとに、代理店識別コード、代理店名称、住所、サーバ１をアクセスするためのＩＤとパスワード、等に関するデータが記憶される。【００６８】  続いて、クーポンを利用する利用者が、前記した起動プログラムをサーバ１から携帯電話機２ａ等にダウンロードするための手順と、これに対するサーバ１の処理内容について説明する。利用者が起動プログラムをダウンロードする方法は、種々の方法を採用することができる。以下の説明においては、利用者が端末装置３ａと携帯電話機２ａ等を用いてダウンロードする手順を、図９に基づいて説明する。【００６９】（ステップＳ１）
利用者の端末装置３ａ等を用いて、サーバ１のＷｅｂページ、例えば、ホームページ、または、本システムを利用するための検索サイトをアクセスする。このＷｅｂページには、起動プログラムをダウンロードするダウンロード用Ｗｅｂサイトにリンクするためのダウンロード表示領域ｄ１（図１１参照）が設定されている。【００７０】（ステップＳ２）
利用者がダウンロード表示領域ｄ１をマウスでクリックすると、サーバ１のダウンロードプログラムＰ５は、ダウンロード用のＷｅｂページを利用者の端末装置３ａ等に表示させる。そして、このダウンロード用Ｗｅｂページには、２次元コードを表示する。この２次元コードには、起動プログラムを携帯電話機２ａにダウンロードするためのプログラムを稼動させるＷｅｂサイトのＵＲＬが表されている。【００７１】（ステップＳ３）
利用者は、端末装置３ａの画面に表示されたこの２次元コードを自分の携帯電話機２ａ等で撮像して、サーバ１のＷｅｂサイトをアクセスする。これにより、サーバ１のダウンロードプログラムＰ５のダウンロード用プログラムが作動して、サーバ１の外部記憶装置に記憶されている起動プログラムは、携帯電話機２ａ等にダウンロードされる。このとき、ダウンロードプログラムＰ５は、携帯電話機２ａ等に起動プログラムをダウンロードするごとに、固有の識別番号、すなわち、ダウンロードした起動プログラムを識別するプログラム識別ＩＤ（カードＩＤ）を設定して、一旦、記憶装置に記憶する。なお、このカードＩＤは、暗号化処理して記憶するようにする。【００７２】（ステップＳ４）
携帯電話機２ａ等にダウンロードされた起動プログラムは、携帯電話機２ａ等の記憶装置に記憶される。続いて、利用者は携帯電話機２ａ等を操作して、ダウンロードした起動プログラムを立ち上げる。この操作により、携帯電話機２ａ等にダウンロードされた起動プログラムは、サーバ１をアクセスするためのプログラムが作動してサーバ１をアクセスする。すると、サーバ１のダウンロードプログラムＰ５は、携帯電話機２ａ等にダウンロードした起動プログラムを識別するためのカードＩＤを携帯電話機２ａ等に送信する。携帯電話機２ａ側等の起動プログラムは、サーバ１から受信したこのカードＩＤを、携帯電話機２ａ等の非接触ＩＣチップのメモリに記憶する処理を行なう。【００７３】  本発明のシステムにおいて、利用者の携帯電話機２ａ等の非接触ＩＣチップに記憶されたカードＩＤは、前記したように、クーポンの取得要求の登録を行なった利用者の携帯電話機２ａ等、すなわち、利用者を識別するための情報として利用される。【００７４】  なお、サーバ１に登録されている起動プログラムを携帯電話機にダウンロードする方法は、サーバ１が携帯電話機用に公開するＷｅｂサイトをアクセスしてダウンロードする方法、利用者の携帯電話機のメールアドレスにメールで配信する方法、さらに、広告媒体８ａ等に起動プログラムをダウンロードするためのＵＲＬを表す２次元コードを印刷し、利用者の携帯電話機２ｄ等でこの２次元コードを撮像してサーバ１をアクセスすることにより、起動プログラムを携帯電話機２ｄ等にダウンロードする方法を採用することができる。【００７５】  続いて、利用者が携帯電話機を利用してクーポンの取得要求をサーバ１に登録する手順と、取得要求を登録したクーポンを使用する手順、およびこれらの手順に伴う本システムの処理内容を、図１０に示す利用者の操作手順に従って説明する。なお、図１０に示す利用者の操作は、利用者の端末装置３ａ等と携帯電話機２ａ等を利用して、希望するクーポンの取得要求をサーバ１に登録する場合の手順を示している。【００７６】（ステップＳ１１）
利用者は、利用者の端末装置２ａ等を操作して、サーバ１がインターネット１０上に公開する本システムを利用するためのＷｅｂページをアクセスする。このＷｅｂページは、クーポン取得要求登録プログラムＰ６により、例えば、図１１に示すように、利用者が希望するクーポンを取得するための検索用Ｗｅｂページを表示する。図１１に示す検索用Ｗｅｂページは、利用者がクーポンの発行状況を検索するためにカテゴリ別の検索のメニューを表示した例を示す。【００７７】  利用者が、図１１の検索用Ｗｅｂページから、希望するカテゴリをマウスでクリックする。すると、クーポン取得要求登録プログラムＰ６は、クーポン情報データテーブルＤＴ２等を参照して、図１２に示すように、利用者がクリックしたカテゴリに該当する店舗について、クーポンの発行状況の一覧表を利用者の端末装置２ａ等に表示する処理を行なう。【００７８】  図１２に示すＷｅｂページには、店舗名別に、クーポンの有効期間、ポイント率、クーポンの内容、等が掲載されている。このポイント率は、前記したように、利用者がこのクーポンを使用したときに獲得できるポイント数を示す。本発明においては、図１２に示すこのカテゴリ別のクーポンの発行状況を掲載するＷｅｂページは、ポイント率の値が高い店舗のクーポン順に表示している。ポイント率の値が高いということは、利用者がこの店舗のクーポンを利用すると、獲得できるポイント数が多くなる。これにより、カテゴリ別、すなわち、同業者別のクーポンの発行状況を掲載するＷｅｂページを公開するときに、このポイント率も掲載すると、利用者はポイント率の値がより高いクーポンを取得する要求を登録することが可能になる。【００７９】  本発明のシステムにおいては、前記したように、課金単価により利用者が獲得できるポイントが決まる。これにより、店舗側がサーバ１に新たなクーポンに関する情報を登録するときに、同業者に対してより高い課金単価を登録するように配慮させる効果が生じる。この結果として、本発明は、利用者の店舗への集客とクーポンの使用促進、すなわち、店舗の販売（売上）促進に貢献することが可能なシステムになる。【００８０】（ステップＳ１２）
利用者は、図１２に示すクーポンの発行状況の一覧表を閲覧して、取得したいクーポンに関する情報が掲載されている場合、例えば、該当する店舗名をマウスでクリックする。すると、サーバ１のクーポン取得要求登録プログラムＰ６は、２次元コード作成プログラムＰ４を作動させて図１３に示すような２次元コード１２を、利用者の端末装置２ａ等の画面に表示する処理を行なう。２次元コード１２には、携帯電話機にクーポンの取得要求の登録を行うためのサーバ１のＷｅｂサイトのＵＲＬと、利用者がクリックした店舗のクーポン番号が表されている。【００８１】  ２次元コード作成プログラムＰ４は、２次元コード１２を次の手順（１）〜（３）により作成して、利用者の端末装置２ａ等の画面に表示する処理を行なう。
（１）利用者が、図１２に示すクーポンの発行状況に関する一覧表のＷｅｂページから店舗名をクリックした操作に基づいて、クリックした店舗名のクーポン番号を取得することができる。これは、図１２に示すＷｅｂページの店舗名を表示するプログラム内にこのクーポン番号を埋め込んでおくことにより可能となる。
（２）２次元コード作成プログラムＰ４は、クーポンの取得要求の登録を行うためのＷｅｂサイトのＵＲＬと、クーポン番号とを含む２次元コード１２を、ビットマップ情報として作成する。
（３）クーポン取得要求登録プログラムＰ６は、２次元コード作成プログラムＰ４が作成した２次元コード１２のビットマップ情報を、図１３に示すように、利用者の端末装置２ａ等の画面に表示する処理を行なう。【００８２】（ステップＳ１３）
利用者は、利用者の端末装置２ａ等に表示された２次元コード１２を、携帯電話機２ａ等で撮像して、２次元コード１２に含まれているＵＲＬをアクセスする。【００８３】携帯電話機２ａ等が２次元コード１２に含まれているＵＲＬをアクセスすると、サーバ１のクーポン取得要求登録プログラムＰ６は、２次元コード１２に含まれているクーポン番号と、携帯電話機２ａ等の非接触ＩＣチップに記憶されているカードＩＤを取得することができる。なお、このとき、携帯電話機２ａ等にインストールされている起動プログラムも作動して、この起動プログラムは携帯電話機２ａ等の非接触ＩＣチップに記憶されているカードＩＤをサーバ１に送信する処理を行なう。これにより、クーポン取得要求登録プログラムＰ６は、カードＩＤを取得することができるようになる。【００８４】  続いて、クーポン取得要求登録プログラムＰ６は、取得したクーポン番号が、クーポン情報データベースＤＴ２に予め登録されているか、有効期間内のクーポンであるか否か等のチェック処理を行なう。このチェックの結果、正常なクーポンに関する取得要求でない場合には、携帯電話機２ａ等にエラーメッセージを送信する。【００８５】（ステップＳ１４）
クーポン取得要求登録プログラムＰ６は、携帯電話機２ａ等から取得したクーポン番号が有効なクーポンと判定すると、携帯電話機２ａ等にクーポン取得要求の登録完了を示すメッセージを送信する。これにより、利用者は希望するクーポンに関する取得要求がＷｅｂサイトに登録されたことが確認できる。【００８６】  続いて、クーポン取得要求登録プログラムＰ６は、携帯電話機２ａ等から取得したクーポン番号についてクーポン情報データテーブルに登録されている店舗識別コード、有効期間、等のデータを取り出して、前記したクーポン取得要求データテーブルＤＴ３に記憶する処理を行なう。このとき、携帯電話機２ａ等から取得したカードＩＤもクーポン取得要求データテーブルＤＴ３に記憶する。【００８７】  さらに、クーポン取得要求登録プログラムＰ６は、携帯電話機２ａ等から取得したクーポン番号に関する情報を記憶するクーポン情報データベースＤＴ２の利用者取得回数を記憶する欄に、「＋１」した値を記録する処理を行なう。これにより、多数の利用者がサーバ１にクーポンの取得要求の登録を行なった回数を、クーポン番号別に把握することが可能になる。【００８８】（ステップＳ１５）
ステップＳ１５は、利用者がサーバ１にクーポンの取得要求を登録したクーポンを、店舗において使用する操作になる。
利用者が店舗にでかけて、クーポン対象の商品の購入、またはサービスを受けると、利用者は自分の携帯電話機２ａ等を店舗の端末装置４ａ等に接続されている非接触ＩＣカードリーダ／ライター５ａ等にかざす操作を行なう。すると、店舗の端末装置４ａ等に搭載されているプログラムは、携帯電話機２ａ等の非接触ＩＣチップに記憶されているカードＩＤを読み込んで、この読み取ったカードＩＤをサーバ１に送信する処理を行なう。【００８９】  サーバ１は、店舗の端末装置４ａ等から、この店舗の店舗識別コードとカードＩＤを取得することができる。クーポン取得要求登録プログラムＰ６は、取得した店舗識別コードとカードＩＤが、クーポン取得要求データベースＤＴ３に記憶されているか否か、クーポンの有効期間を満たしているか否か、等をチェックする処理を行なう。このチェックの結果、正常であると判定されると、このカードＩＤに対応してクーポン取得要求データベースＤＴ３に記録されているクーポン番号は、利用者によって使用されたと判定する。【００９０】  上記により、クーポン取得要求登録プログラムＰ６は、クーポン取得要求データベースＤＴ３に記録されているクーポン番号が利用者によって使用されたと判定すると、続いて、次の処理（１）〜（４）を行なう。【００９１】  （１）クーポン情報データテーブルＤＴ２に記憶するデータ項目のうち、クーポン番号に関して、利用者使用回数を「＋１」する処理など、クーポン情報データテーブルＤＴ２に記憶するデータの更新処理を行なう。【００９２】  （２）該当するクーポン番号のカードＩＤに関して、クーポン取得要求データベースＤＴ３に記憶するクーポン使用区分欄に、「＋１」した値を記憶する処理を行なう。これにより、クーポン取得要求データベースＤＴ３のクーポン使用区分の欄に記憶されているデータを判定することにより、利用者がサーバ１にクーポンの取得要求を登録したクーポンは、使用されたか否かを判定することが可能になる。【００９３】  （３）クーポン使用履歴データテーブルＤＴ４に、利用者が使用したクーポン番号に関する情報等を、クーポン使用履歴データとして記憶する処理を行なう。【００９４】  （４）店舗の端末装置４ａ等から取得したカードＩＤのデータに基づいて会員データベースＤＴ５を検索して、該当するカードＩＤが記憶されている会員に関する情報を記憶する領域のうち、現在のポイント数を記憶する欄に、今回のクーポンに使用により獲得したポイントを加算して記憶する処理を行なう。なお、利用者が獲得したポイント数は、該当するクーポン番号についてクーポン情報データテーブルＤＴ２を参照して求めることができる。【００９５】  上記の処理が終了すると、クーポン取得要求登録プログラムＰ６は、店舗の端末装置４ａ等に、この利用者が今回のクーポン使用で獲得したポイント数と現在までに獲得しているポイント数の累計値を送信し、店舗の端末装置４ａ等は、これらのデータを利用者のために表示、または印刷する処理を行なうようにしてもよい。【００９６】  本発明においては、利用者がクーポンの取得要求をサーバ１に登録する方法として、前記したように、広告媒体８ａ等に印刷されている２次元コード７ａ等を利用者の携帯電話機２ｄ��撮像して、サーバ１をアクセスする方法を採用することができる。なお、この広告媒体８ａ等とは、各種の雑誌、情報誌、新聞、チラシ広告等であって、各店舗の商品やサービスに関する広告と共に、クーポンを得るための２次元コードが印刷されている印刷物を示す。そして、このような方法を採用するために、本システムのサーバ１は、広告媒体８ａ等を印刷する代理店用に、サーバ１をアクセスしてクーポンに関する情報を得るためのＷｅｂページを備えるようにする。【００９７】  本システムの運営者が広告代理店等に、広告媒体８ａ等に２次元コードを印刷する業務を委託する場合には、次のような手順（１）〜（３）に基づいて、この業務を代理店等に委託する。【００９８】  （１）サーバ１は、契約した代理店専用のＷｅｂサイトを設ける。そして、代理店側は、端末装置６ａ等を利用して、この代理店専用のＷｅｂサイトをアクセスして、代理店別クーポン情報データベース（図示せず）等から２次元コードを作成するために必要なクーポンに関する情報を選択する。【００９９】  （２）代理店側は、端末装置６ａ等を使用して、２次元コードを作成するために必要なクーポンに関する情報を選択すると、サーバ１が備えている２次元コード作成プログラムＰ４を作動させて２次元コードをビットマップ情報として作成する。そして、作成した２次元コードのビットマップ情報を端末装置６ａ等にダウンロードして外部記憶装置に記憶する。なお、作成した２次元コードは、サーバ１のＵＲＬ、クーポン番号、代理店識別番号が含まれるようにし、さらに、広告媒体８ａ等を識別するコードを含めるようにしてもよい。【０１００】  （３）代理店側は、作成した２次元コードのデータを印刷業者に提供する。これにより、広告媒体８ａ等の該当する店舗の広告領域に、２次元コードを印刷することができる。【０１０１】  利用者が広告媒体８ａに印刷された２次元コードを携帯電話機２ｄ等で撮像して、クーポンの取得要求の登録に対する操作と、これに対応するサーバ１の処理は、前記ステップＳ１３に記載した内容と同一になる。なお、サーバ１は、２次元コード７ａ等を撮像した携帯電話機２ｄ等から代理店識別コードも取得することができるので、この代理店コードをクーポン取得要求データテーブルＤＴ３に記憶する。これにより、代理店が発行した広告媒体８ａ等からのクーポン取得要求に対するクーポンの使用実績を代理店別に把握することが可能になるので、システムの運営者は、このクーポンの使用実績に基づいて、代理店に対価を支払うようにする。【０１０２】  現在、利用者（顧客）に各種のサービス等を提供するために、利用者をその店舗の会員として登録し、登録した会員には会員カードを発行することが広く行なわれている。このような会員システムを各店舗が採用すると、各店舗は店舗ごとに会員カードを発行する必要が生じる。また、利用者は店舗ごとに発行された多数のカードを所持し保管する必要が生じる。【０１０３】  本発明のシステムは、上記した店舗の会員登録システムにおいて、店舗ごとの会員カードの発行を不要とした、多数の店舗の統一した会員登録システムとして利用することができる。この会員カードの発行を不要とした店舗の会員登録システムとして運用するためには、例えば、次のような手段（１）〜（４）を採用することができる。【０１０４】  （１）サーバ１は、利用者の携帯電話機の非接触ＩＣチップに記憶されているカードＩＤと、利用者が会員登録している店舗の店舗識別コードとを関連付けしたデータベース（以下、店舗会員データベースという）を備えるようにする。そして、サーバ１は、利用者が各店舗の会員となるための店舗会員登録申請用のＷｅｂページを設け、このＷｅｂページから入力された情報に基づいて、店舗会員データベースを作成するようにする。例えば、店舗会員登録申請用のＷｅｂページには、会員登録可能な店舗の一覧表を表示し、会員登録を希望する店舗名をクリックすると、端末装置３ａ等に、図１３に示すようなＱＲコードを表示させる。そして、利用者がこのＱＲコードを、携帯電話機２ａ等を利用して撮像してサーバ１をアクセスすると、サーバ１はカードＩＤを取得することができるので、上記した店舗識別コードとカードＩＤに関する情報を備えた店舗会員データベースを作成することが可能になる。【０１０５】  （２）利用者が会員登録した店舗において、本システムによるクーポンの使用以外に、その店舗の会員特有のサービスを受ける場合には、利用者の携帯電話機２ａ等を店舗の端末装置４ａ等に接続されている非接触ＩＣカードリーダ／ライター５ａにかざす。すると、店舗の端末装置４ａ等に搭載されている店舗会員認証プログラムは、携帯電話機２ａ等から取得したカードＩＤをサーバ１に送信する処理を行なうようにする。このとき、店舗識別コードもサーバ１に送信する。【０１０６】  （３）サーバ１に搭載されている店舗会員認証プログラムは、上記した店舗会員データベースを参照して、この受信したカードＩＤと店舗識別コードを持つ店舗会員ＩＤが登録されているか否かを判定し、この判定結果を店舗の端末装置４ａ等に送信する。【０１０７】  （４）店舗の端末装置４ａ等は、このサーバ１からこの認証の判定結果を画面に表示する。これにより、店舗側はこの店舗の会員であるか否かを認証することが可能になる。【０１０８】  以上に説明した本発明の実施形態においては、利用者の携帯電話機ごとに固有の識別情報を持たせる手段は、サーバから携帯電話機に送信したカードＩＤを、携帯電話機にダウンロードした起動プログラムにより、携帯電話機に内蔵されている非接触ＩＣチップに記憶させる例について説明した。
本発明においては、携帯電話機の非接触ＩＣチップのシステム管理領域に記憶されているＩＣチップごとに固有のＩＤｍ（製造番号）をセキュリティ用の情報として利用することができる。以下、このＩＤｍ（製造番号）をセキュリティ用の情報として利用する方法について説明する。【０１０９】  （１）まず、店舗の端末装置４ａ等が備えている非接触ＩＣカードリーダ／ライター５ａ等を制御するプログラムに、携帯電話機の非接触ＩＣチップに記憶されているカードＩＤとＩＤｍを読み取る処理を行なうプログラムを付加する。
（２）利用者が携帯電話機２ａ等を利用してクーポンを使用すると、サーバ１は店舗の端末装置４ａ等からカードＩＤと共にＩＤｍも取得するようにする。
（３）そして、サーバ１は、利用者が自分の携帯電話機を利用して、初めてクーポンを使用して店舗の端末装置４ａ等からカードＩＤと共にＩＤｍを取得すると、取得したカードＩＤとＩＤｍとから構成されるカードＩＤセキュリティ用データベースを作成する。
（４）利用者が、２回目以降にクーポンを使用いた場合には、サーバ１は店舗からこの利用者のカードＩＤとＩＤｍを取得すると、取得したカードＩＤとＩＤｍがカードＩＤセキュリティ用データベースに登録されているか否かをチェックする処理を行なう。これにより、利用者がクーポンを使用するときに、カードＩＤを登録した携帯電話機を使用したか否かをチェックすることが可能になる。これにより、利用者が自分の携帯電話機の機種変更を行なって、機種変更した携帯電話機の非接触ＩＣチップにカードＩＤが記憶されていないことをチェックすることが可能になる。
【図面の簡単な説明】
【０１１０】
【図１】  本発明のシステム構成の一例を説明するための図である。
【図２】  図１に示すサーバが備えているソフトウエアの構成を説明するための図である。
【図３】  図１に示すサーバが備えている店舗データベースの構成を説明するための図である。
【図４】  図１に示すサーバが備えているクーポン情報データベースの構成を説明するための図である。
【図５】  図１に示すサーバが備えているクーポン取得要求データベースの構成を説明するための図である。
【図６】  図１に示すサーバが備えているクーポン使用履歴データベースの構成を説明するための図である。
【図７】  図１に示すサーバが備えている会員データベースの構成を説明するための図である。
【図８】  図１に示すサーバが備えている代理店データベースの構成を説明するための図である。
【図９】  図１に示すサーバが、起動プログラムを携帯電話機にダウンロードする手順を説明するための図である。
【図１０】  利用者が携帯電話機を用いてサーバに対して、希望するクーポンの取得要求の登録と、登録したクーポンを使用するための手順を説明するための図である。
【図１１】  サーバがインターネット上に公開する店舗のクーポンに関する情報を、カテゴリ別に検索するためのＷｅｂページの一例を説明するための図である。
【図１２】  図１１に示すＷｅｂページのカテゴリにリンクされているＷｅｂページの一例を説明するための図である。
【図１３】  図１２に示すＷｅｂページについて、クーポンに関する情報を登録している店舗名をクリックしたときに、表示されるＷｅｂページの一例を示す図である。
【０１１１】  １  ：サーバ
２ａ、２ｂ、２ｃ、２ｄ：携帯電話機
３ａ、３ｂ：利用者の端末装置
４ａ、４ｂ、４ｃ、４ｄ：店舗の端末装置
５ａ、５ｂ、５ｃ、５ｄ：非接触型ＩＣカードリーダ／ライター
６ａ、６ｂ：代理店の端末装置
７ａ、７ｂ：２次元コード
８ａ、８ｂ：広告媒体
１０  ：インターネット
１２  ：２次元コード
ＤＴ１：店舗データベース
ＤＴ２：クーポン情報データベース
ＤＴ３：クーポン取得要求データベース
ＤＴ４：クーポン使用履歴データベース
ＤＴ５：会員データベース
ＤＴ６：代理店データベース
Ｐ３：クーポン情報登録プログラム
Ｐ４：２次元コード作成プログラム
Ｐ５：ダウンロードプログラム
Ｐ６：クーポン取得要求登録プログラム
Ｐ８：クーポン使用実績把握プログラム
Ｐ９：ポイント記録プログラム
Ｐ１０：店舗別課金算出プログラム
Ｐ１１：クーポン情報検索プログラム
【図１】
2006338638.tif 000003
【図２】
2006338638.tif 000004
【図３】
2006338638.tif 000005
【図４】
2006338638.tif 000006
【図５】
2006338638.tif 000007
【図６】
2006338638.tif 000008
【図７】
2006338638.tif 000009
【図８】
2006338638.tif 000010
【図９】
2006338638.tif 000011
【図１０】
2006338638.tif 000012
【図１１】
2006338638.tif 000013
【図１２】
2006338638.tif 000014
【図１３】
2006338638.tif 000015